(57)【要約】【課題】例えば、特殊インクで印刷された領域をより確実に特定することができる画像処理装置及び画像読取装置並びに画像処理システムを提供する。【解決手段】読取対象物に可視光を照射してその反射光に基づき読み取られた前記読取対象物の第１画像、及び同一の前記読取対象物に紫外光を照射してその反射光に基づき読み取られた前記読取対象物の第２画像をそれぞれ取得する画像取得手段と、前記画像取得手段が取得した前記第１画像及び前記第２画像に基づいて、前記第２画像のみに存在し且つ紫外光のみに反応する紫外光反応領域を特定する領域特定手段と、を備えたことを特徴とした画像処理装置とする。【選択図】図７
2017038324.tif 000002
【特許請求の範囲】
【請求項１】
読取対象物に可視光を照射してその反射光に基づき読み取られた前記読取対象物の第１画像、及び同一の前記読取対象物に紫外光を照射してその反射光に基づき読み取られた前記読取対象物の第２画像をそれぞれ取得する画像取得手段と、
前記画像取得手段が取得した前記第１画像及び前記第２画像に基づいて、前記第２画像のみに存在し且つ紫外光のみに反応する紫外光反応領域を特定する領域特定手段と、を備えたことを特徴とする画像処理装置。
【請求項２】
前記領域特定手段が特定した前記紫外光反応領域のうち背景との境界部分をエッジ強調する強調手段を更に備えたことを特徴とする請求項１に記載の画像処理装置。
【請求項３】
前記領域特定手段が特定した前記紫外光反応領域を背景色と比べて視覚的に区別できる所定の明るさ以上の色に補正する色補正手段を更に備えたことを特徴とする請求項１に記載の画像処理装置。
【請求項４】
読取対象物に可視光を照射してその反射光に基づき前記読取対象物の第１画像を読み取る第１画像読取手段と、
同一の前記読取対象物に紫外光を照射してその反射光に基づき前記読取対象物の第２画像を読み取る第２画像読取手段と、
前記第１画像読取手段及び前記第２画像読取手段から取得した前記第１画像及び前記第２画像に基づいて、前記第２画像のみに存在し且つ紫外光のみに反応する紫外光反応領域を特定する画像処理手段と、を備えたことを特徴とする画像読取装置。
【請求項５】
読取対象物に可視光を照射してその反射光に基づき前記読取対象物の第１画像を読み取る第１画像読取手段と、
同一の前記読取対象物に紫外光を照射してその反射光に基づき前記読取対象物の第２画像を読み取る第２画像読取手段と、
前記第１画像読取手段及び前記第２画像読取手段から取得した前記第１画像及び前記第２画像に基づいて、前記第２画像のみに存在し且つ紫外光のみに反応する紫外光反応領域を特定する画像処理手段と、を備えたことを特徴とする画像処理システム。
【請求項６】
前記読取対象物を搬送しながら前記読取対象物の画像を読み取る画像読取装置と、
前記画像読取装置に接続され前記画像読取装置から取得した画像を処理する画像処理装置と、を備え、
前記画像読取装置には、前記第１画像読取手段と前記第２画像読取手段とが設けられ、
前記画像処理装置には、前記画像処理手段が設けられたことを特徴とする請求項５に記載の画像処理システム。
【発明の詳細な説明】
【技術分野】
【０００１】
本発明は、小切手、パスポート、チェック等の読取対象物の画像を読み取って所定の処理を施す画像処理装置及び画像読取装置並びに画像処理システムに関し、例えば、可視光の光源と紫外光の光源とをそれぞれ使って読取対象物の画像処理を行うものに関する。
【背景技術】
【０００２】
従来から、紫外光源といった可視光領域外の特定波長の光を照射した際に、可視光領域の光（蛍光）を発光する特殊インクが知られている。このような特殊インクは、例えば、不可視インクやＵＶインクとして知られている。
【０００３】
また、特殊インクが印刷された領域は、特定波長の光（励起光）を照射すると、照射された特定波長の光を吸収することで、特殊インクの電子が励起状態となる。励起状態となった特殊インクの電子は、より安定な基底状態に戻る際に、照射された特定波長の光（励起光）よりも長い波長の光を発光することが知られている。
【０００４】
このような特殊インクは、偽造防止や改竄防止のためにパスポートや小切手、チェックなどに用いられている。例えば、パスポートでは、特殊インクで印刷されている領域に、励起光である波長３７０［ｎｍ］程度の紫外光源を照射すると、可視光波長内の発光を確認することができる。特殊インクに励起光を照射した際に発光する波長は、特殊インクにより異なり、青色を発光するものや、黄色を発光するもの、緑色を発光するもの、赤色を発光するもの等が知られている。
【０００５】
特殊インクで印刷されている領域に、波長３７０［ｎｍ］程度の紫外光源を照射すると、可視光波長内の発光を確認することができることは説明したが、特殊インクの印刷回数により、可視光波長内の発光量に差がでてくる。例えば、特殊インクを３回塗ったものと比べ、特殊インクを１回しか塗っていないものは、可視光波長内の発光量が少なくなる。
【０００６】
特許文献１に記載されている画像読取装置は、第１光源として、Ｒ（赤）光源、Ｇ（緑）光源、Ｂ（青）光源といった可視光源を備えている。また、第２光源として、紫外光源などの不可視光源を備えている。
【０００７】
また、画像読取装置は、原稿の画像読取りを行う際に、Ｒ（赤）光源、Ｇ（緑）光源、Ｂ（青）光源に加え、不可視光源を各ラインにおいて順次点灯し、各光源点灯時の反射光を、読取りセンサにより取得する。
【０００８】
さらに、上記画像読取装置は、可視光源であるＲ（赤）光源、Ｇ（緑）光源、Ｂ（青）光源点灯時の反射光から、可視光源に基づいた第１画像データを生成する。また、画像読取装置は、紫外光源や赤外光源などの不可視光源点灯時の反射光から、不可視光源に基づいた第２画像データを生成する。
【０００９】
なお、画像読取装置は、前述したように可視光源と不可視光源を順次点灯することで、読取対象原稿の可視光源に基づいた第１画像データと、不可視光源に基づいた第２画像データを一回の走査により読み取ることができる。
【先行技術文献】
【特許文献】
【００１０】
【特許文献１】特開２０１１−１０９６２５号公報
【発明の概要】
【発明が解決しようとする課題】
【００１１】
ところで、上述した特許文献１に記載の画像読取装置では、例えば、特殊インクで印刷された部分及びその周囲の状態によって蛍光画像を特定するのが難しい場合がある。
【００１２】
本発明は、例えば、特殊インクで印刷された領域をより確実に特定することができる画像処理装置及び画像読取装置並びに画像処理システムを提供するものである。
【課題を解決するための手段】
【００１３】
本発明の画像処理装置は、読取対象物に可視光を照射してその反射光に基づき読み取られた前記読取対象物の第１画像、及び同一の前記読取対象物に紫外光を照射してその反射光に基づき読み取られた前記読取対象物の第２画像をそれぞれ取得する画像取得手段と、前記画像取得手段が取得した前記第１画像及び前記第２画像に基づいて、前記第２画像のみに存在し且つ紫外光のみに反応する紫外光反応領域を特定する領域特定手段と、を備えたことを特徴とする。
かかる本発明の態様によれば、可視画像である第１画像と、紫外画像である第２画像との差分から、例えば、特殊インクで印刷された領域（紫外光反応領域）をより確実に特定できる。
【００１４】
また、上記本発明では、前記領域特定手段が特定した前記紫外光反応領域のうち背景との境界部分をエッジ強調する強調手段を更に備えたことを特徴としてもよい。
かかる本発明の態様によれば、エッジ強調処理によって第２画像における紫外光反応領域を視覚的に特定し易くなる。
【００１５】
また、上記本発明では、前記領域特定手段が特定した前記紫外光反応領域を背景色と比べて視覚的に区別できる所定の明るさ以上の色に補正する色補正手段を更に備えたことを特徴としてもよい。
かかる本発明の態様によれば、色補正処理によって第２画像における紫外光反応領域を視覚的に特定し易くなる。
【００１６】
本発明の画像読取装置は、読取対象物に可視光を照射してその反射光に基づき前記読取対象物の第１画像を読み取る第１画像読取手段と、同一の前記読取対象物に紫外光を照射してその反射光に基づき前記読取対象物の第２画像を読み取る第２画像読取手段と、前記第１画像読取手段及び前記第２画像読取手段から取得した前記第１画像及び前記第２画像に基づいて、前記第２画像のみに存在し且つ紫外光のみに反応する紫外光反応領域を特定する画像処理手段と、を備えたことを特徴とする。
かかる本発明の態様によれば、画像読取装置において紫外光反応領域が特定されるため、その後の処理負荷を低減できる。
【００１７】
また、本発明の画像処理システムは、読取対象物に可視光を照射してその反射光に基づき前記読取対象物の第１画像を読み取る第１画像読取手段と、同一の前記読取対象物に紫外光を照射してその反射光に基づき前記読取対象物の第２画像を読み取る第２画像読取手段と、前記第１画像読取手段及び前記第２画像読取手段から取得した前記第１画像及び前記第２画像に基づいて、前記第２画像のみに存在し且つ紫外光のみに反応する紫外光反応領域を特定する画像処理手段と、を備えたことを特徴とする。
かかる本発明の態様によれば、可視画像である第１画像と、紫外画像である第２画像との差分から、例えば、特殊インクで印刷された領域（紫外光反応領域）をより確実に特定できる。
【００１８】
また、本発明の画像処理システムによれば、前記読取対象物を搬送しながら前記読取対象物の画像を読み取る画像読取装置と、前記画像読取装置に接続され前記画像読取装置から取得した画像を処理する画像処理装置と、を備え、前記画像読取装置には、前記第１画像読取手段と前記第２画像読取手段とが設けられ、前記画像処理装置には、前記画像処理手段が設けられたことを特徴としてもよい。
かかる本発明の態様によれば、画像読取装置と画像処理装置とを接続するだけで、画像読取装置が読み取った画像を使って画像処理装置により紫外光反応領域を特定する形態を実現できる。
【発明の効果】
【００１９】
本発明は、例えば、特殊インクで印刷された領域をより確実に特定することができる画像処理装置及び画像読取装置並びに画像処理システムを実現できる。
【図面の簡単な説明】
【００２０】
【図１】本発明の一実施形態に係る画像読取装置の模式図。
【図２】画像読取ユニット構成説明図。
【図３】フィルタ透過特性を示す図。
【図４】画像読取装置および画像読取装置に接続するＰＣの構成ブロック図。
【図５】照明切換制御を示すフローチャート図。
【図６】原稿および照明切換制御を行った場合における読取画像を示す図。
【図７】特殊インクが印刷された原稿の可視光源照射時における読取画像を示す図と、特殊インクが印刷された原稿の紫外光源照射時における読取画像を示す図。
【図８】特殊インクが印刷されていない原稿を示す図と、特殊インクが印刷された原稿の紫外光源照射時における読取画像を示す図と、特殊インクが印刷された原稿の紫外光源照射時における読取画像を拡大した図。
【図９】特殊インクで印刷された領域を検出するためのフローチャート図。
【図１０】特定順についての説明図。
【図１１】特殊インクで印刷された領域のエッジ強調用閾値を決定するためのフローチャート図。
【図１２】特殊インクで印刷された領域における、エッジ強調用の閾値の決定方法について、画素ブロックを用いて説明した図。
【図１３】特殊インクで印刷された領域を特定するためのフローチャート図。
【図１４】ＵＶ画像か、可視画像かによって、エッジ強調用の閾値を切り替える例を示したフローチャート図。
【図１５】エッジ強調を行うパラメータとしてマトリクスを使用した例を示した画素ブロック図。
【図１６】エッジ強調用パラメータの概略図。
【図１７】ガンマ補正を行う際の飽和点の決定方法を示したフローチャート図。
【図１８】１５０を飽和点としたときに決定したガンマ補正カーブの一例を示した図。
【図１９】本発明の他の実施形態に係る画像読取装置の模式図。
【発明を実施するための形態】
【００２１】
図１は、本発明の一実施形態に係る画像読取装置１００の模式図である。以下、画像読取装置１００が備える各構成について説明する。原稿台１０２は、読取対象となる原稿１０１を積載収納する。
【００２２】
原稿台１０２上の原稿１０１は、給紙ローラ１０６によって１枚ずつ分離して搬送路１０８に送り出され、搬送ローラ１０７によって搬送路１０８に沿って搬送され、排出部１０３に排出される。排出部１０３は画像読取処理を終えた原稿１０１を積載収納する。
【００２３】
レジストセンサ１０９は搬送路１０８上を搬送される原稿１０１を検出する。レジストセンサ１０９が原稿１０１を検出すると、画像読取ユニット１０４で原稿１０１の読取りを開始する。
【００２４】
例えば、本実施形態の場合、画像読取ユニット１０４は２つ設けられており、一方が原稿１０１の表面を、他方が原稿１０１の裏面を読取る。無論、画像読取ユニット１０４を１つ設けて、原稿１０１の片面のみを読取る構成としてもよい。なお、各画像読取ユニット１０４に対向する位置には、対向面部材である背景板１０５がそれぞれ設けられている。背景板１０５は、例えば、黒色で非蛍光部材である。
【００２５】
図２は、画像読取ユニット１０４の構成説明図であり、図１の２つの画像読取ユニット１０４のうち、右側の画像読取ユニット１０４を示している。しかし、図１の左側の画像読取ユニット１０４も同様の構成である。
【００２６】
画像読取ユニット１０４は、筐体１０４１と、搬送路１０８に面して設けられたガラス板１０４２とによって、内部が密封されたユニットである。画像読取ユニット１０４の内部には、光線を曲げて光を集めるレンズ１０４６と、ラインイメージセンサ１０４３と、一対の発光部１０４４と、が設けられている。
【００２７】
ラインイメージセンサ１０４３は、原稿１０１の搬送方向と直交する方向（主走査方向）に延設され、主走査方向の１ライン分の画像を１度に読取る。ラインイメージセンサ１０４３は、例えば、ＣＣＤラインセンサやコンタクトイメージセンサである。
【００２８】
発光部１０４４ａは、ラインイメージセンサ１０４３に対して原稿１０１の搬送方向の上流側に配置され、例えば赤、青、緑などの可視光を発光する。発光部１０４４ｂは、搬送方向の下流側に配置され、紫外線を発光する。
【００２９】
レンズ１０４６とラインイメージセンサ１０４３は、一対の発光部１０４４の間に、挟みこまれるようにして配置されている。一対の発光部１０４４は、それぞれ、ラインイメージセンサ１０４３と略平行に延設されており、例えば、複数のＬＥＤからなるＬＥＤアレイにより構成される。
【００３０】
図２の破線矢印で示すように、ラインイメージセンサ１０４３は、発光部１０４４からの光が原稿１０１で反射した反射光をレンズ１０４６にて集光し、レンズ１０４６にて集められた光をラインイメージセンサ１０４３で受光して原稿１０１上の画像を読取る。ラインイメージセンサ１０４３は、紫外線カットフィルタを備えている。
【００３１】
図３は、紫外線カットフィルタの透過特性を示した図である。ラインイメージセンサ１０４３は、紫外線（可視波長以外）を削減し、可視光（可視波長以上）を受光する構成となっている。
【００３２】
特殊インクが印刷された領域に紫外光を照射すると、特殊インクは照射された特定波長の光を吸収し、励起状態となる。励起状態となった特殊インクの電子は、より安定な基底状態に戻る際に、紫外光よりも長い波長の光を発光する。
【００３３】
この発光された紫外光よりも長い光をラインイメージセンサ１０４３で読取るために、紫外線カットフィルタにより原稿１０１上で反射した紫外光をカットし、可視光のみ受光する構成としている。
【００３４】
次に、画像読取装置１００の制御系の構成について説明する。図４は、画像読取装置１００の制御系のブロック図及び画像読取装置１００に接続可能なＰＣ（パソコン）２００のブロック図である。
【００３５】
画像読取装置１００は、制御部１０を備える。制御部１０は、ＣＰＵ１１と、ＲＯＭ１２と、ＲＡＭ１３と、入出力Ｉ／Ｆ（インターフェース）１４と、通信Ｉ／Ｆ（インターフェース）１５と、を備える。
【００３６】
ＣＰＵ１１は、ＲＯＭ１２に記憶されたプログラムを実行し、画像読取装置１００全体の制御を行う。ＲＯＭ１２には、ＣＰＵ１１が実行するプログラムや固定的なデータが記憶される。ＲＡＭ１３には、ラインイメージセンサ１０４３が読取った画像データや、ＣＰＵ１１の演算結果といった可変データが記憶される。ＲＯＭ１２及びＲＡＭ１３は他の記憶手段でもよい。
【００３７】
入出力Ｉ／Ｆ１４には以下の構成が接続され、ＣＰＵ１１とデータの入出力が行われる。駆動回路２２は、給紙ローラ１０６、搬送ローラ１０７等を駆動するモータ２１をＣＰＵ１１の命令に従って駆動する。センサ２３には、上述したレジストセンサ１０９や原稿１０１の搬送終了を検出する排出検出センサ等が含まれ、その検出結果をＣＰＵ１１は取得することができる。
【００３８】
駆動回路２４は、各画像読取ユニット１０４の一対の発光部１０４４をＣＰＵ１１の命令に従って駆動する。一対の発光部１０４４は、それぞれ独立して駆動される。また、駆動回路２４は、発光部１０４４の発光強度を可変にすることができる。（例えば、発光部１０４４への供給電力量を可変できる）。
【００３９】
Ａ／Ｄ変換器２５及び画像処理回路２６は、各画像読取ユニット１０４のラインイメージセンサ１０４３毎に設けられる。Ａ／Ｄ変換器２５は、イメージセンサ１０４３が出力する、画像を示すアナログ画像信号をデジタル画像信号に変換する。画像処理回路２６は、Ａ／Ｄ変換器２５が変換したデジタル画像信号に対して、シェーディング補正等の画像処理を行う。ＣＰＵ１１は、画像処理回路２６から出力される画像信号を取得することができる。
【００４０】
通信Ｉ／Ｆ１５には、ＰＣ２００が接続可能であり、これによりＣＰＵ１１はＰＣ２００と通信可能である。通信Ｉ／Ｆ１５は、ネットワークに接続するためのインターフェースであってもよい。
【００４１】
ＰＣ２００は、パソコンであり、制御部２１０を備える。制御部２１０は、ＣＰＵ２１１と、ＲＯＭ２１２と、ＲＡＭ２１３と、入出力Ｉ／Ｆ（インターフェース）２１４と、通信Ｉ／Ｆ（インターフェース）２１５と、ＨＤＤ（ハードディスクドライブ）２１６と、を備える。
【００４２】
ＣＰＵ２１１は、ＲＯＭ２１２やＨＤＤ２１６に記憶されたプログラムを実行する。ＨＤＤ２１６には、例えば画像読取装置１００用のドライバが記憶される。ＲＯＭ２１２及びＲＡＭ２１３及びＨＤＤ２１６は、他の記憶手段でもよい。入出力Ｉ／Ｆ２１４には、ディスプレイ２２１や、キーボード、マウスといった入力部２２２が接続される。通信Ｉ／Ｆ２１５は、画像読取装置１００が接続される。
【００４３】
次に、画像読取装置１００が実行する処理について説明する。画像読取装置１００は、例えば、ＰＣ２００を介して、ユーザが読取り開始を指示した場合に原稿１０１の読取りを開始する。ＣＰＵ１１は、まず給紙ローラ１０６を駆動して原稿１０１の搬送を開始する。レジストセンサ１０９によって原稿１０１が画像読取ユニット１０４に到達したことが検出されると、ＣＰＵ１１は、発光部１０４４の発光を開始すると共に、ラインイメージセンサ１０４３を駆動して原稿１０１の画像を読取る。
【００４４】
ここで、本実施形態では、ラインイメージセンサ１０４３が原稿１０１の画像を読取る際、一対の発光部１０４４の発光状態を切替える。詳細には、発光部１０４４ａを発光し、発光部１０４４ｂを発光しない第１の発光状態と、発光部１０４４ａを発光せず、発光部１０４４ｂを発光する第２の発光状態とを、例えば奇数ラインの読取時と偶数ラインの読取時とで、交互に切替える。
【００４５】
発光状態を切替えることにより、本実施形態では、奇数ラインには可視光に基づく画像が形成され、偶数ラインには紫外線に基づく画像が形成される。特殊インクには、紫外線が照射されると蛍光発色し、可視光線を発光するものがある。
【００４６】
特殊インクが印刷されている原稿における第２の発光状態では、原稿面から紫外線が反射するとともに、蛍光発色した可視光も放射される。ラインイメージセンサ１０４３には紫外線カットフィルタが備えられているため、紫外線反射光を削減し、蛍光発色した可視光のみを受光することができる。
【００４７】
また、副走査方向の読取解像度は、出力解像度よりも高いことが好ましく、例えば、出力解像度の２倍の解像度であることが好ましい。出力解像度には、ＰＣ２００へ出力する解像度、或いは、ユーザが画像の解像度として設定した解像度等、最終的な読取画像ファイルの解像度である。
【００４８】
なお、副走査方向の読取解像度の変更は、例えば、原稿１０１の送り速度を変更することで変更できる。なお、主走査方向の読取解像度も、出力解像度よりも高くしてもよいが、データ量増大抑制等の観点から等倍であることが好ましい。
【００４９】
図５は、ＣＰＵ１１が実行する照明切替制御の例を示すフローチャートである。この照明切替制御は、原稿１０１の読取動作中における発光部１０４４の駆動制御である。
【００５０】
Ｓ１では、読取ライン数を示すパラメータｋの値を１（１ライン目）とし、読取終了ライン数を示すパラメータＮの値を読取対象の原稿サイズに応じた全ライン数に設定する。Ｓ２では、ｋの値が奇数か否かを判定する。該当する場合はＳ３へ進み、該当しない場合はＳ４へ進む。Ｓ３では、第１発光状態で一対の発光部１０４４を駆動し、Ｓ４では、第２発光状態で一対の発光部１０４４を駆動する。
【００５１】
Ｓ５では、ラインイメージセンサ１０４３による一回の読取り（１ラインの読取り）が完了したか否かを判定する。該当する場合はＳ７へ進み、該当しない場合は待ちとなる。
【００５２】
Ｓ７では、ｋの値が予め定めた値Ｎに達したか否かを判定する。Ｎは、Ｓ１にて設定された読取対象原稿１０１の原稿サイズに応じた全ライン数である。達した場合は、一連の画像読取処理を終了し、達していない場合は、Ｓ６でｋの値を１つ加算し、Ｓ２へ戻って同様の処理を繰り返す。
【００５３】
図６は、照明切替制御を行った場合の原稿１０１の例とその読取画像イメージの例を示す。読取画像イメージにおいて、奇数ラインに可視画像，偶数ラインにＵＶ画像(紫外線照射時における読取画像)の両方を見ることができる。
【００５４】
このように本実施形態では、原稿の読取中、一対の発光部１０４４の発光状態を切替えることで、１度のスキャン走査で可視画像とＵＶ画像の両方を取得でき、また、相対位置誤差の無い２つの画像を得ることができる。
【００５５】
ここで、ＣＰＵ１１は、ラインイメージセンサ１０４３からＡ／Ｄ変換器２５及び画像処理回路２６を通じて得た可視画像とＵＶ画像を、通信Ｉ／Ｆ１５を通じてＰＣ２００に送信し、ＰＣ２００のＣＰＵ２１１が可視画像とＵＶ画像とに基づいて、ＵＶ画像に含まれる紫外光反応領域を特定する。
【００５６】
具体的には、ＣＰＵ２１１は、図７（ａ）及び図７（ｂ）に示すような画像を取得し、次のような画像処理を行う。詳細には、図７（ａ）及び（ｂ）は、読取画像ＩＭＧの奇数ラインの画像と偶数ラインとに分離した画像を示す。本実施形態では、１ライン毎に発光状態を切替えるため、奇数ライン及び偶数ラインと発光状態との関係により、（ａ）の画像は可視画像となり、他方の（ｂ）画像は左上に特殊インクで印刷されたマーク（紫外光反応領域）が写りこんだ画像となる。
【００５７】
ここで、図７（ａ）に示す画像は、可視光源で読み取った画像（第１画像）となり、図７（ｂ）に示す画像は、紫外光で読み取った画像（第２画像）となる。第２画像には、第１画像の一部の像が映り込み、更に、第２画像のみに存在し且つ紫外光のみに反応する紫外光反応領域（上記の特殊インクで印刷されたマーク）が存在する。
【００５８】
そして、ＣＰＵ２１１が、第２画像において紫外光反応領域を特定するにあたっては、それ以外の周囲の画像情報がノイズ成分となる。すなわち、第２画像には、第１画像が実質的に含まれているため、第１画像と第２画像との差分、つまり、第１画像から第２画像の画像成分を除去（除外）することにより、残った第２画像における紫外光反応領域が特定し易くなる。
【００５９】
本実施形態では、上述したように一対の発光部１０４４の発行状態を１ライン毎に切り替えているため、第１画像と第２画像のラインを揃える処理（ラインの位置を併せる処理）を行って、第１画像から第２画像の画像成分を除去すればよい。例えば、画像の先頭ラインを第１画像と第２画像とで揃えれば、第１画像の全てのライン位置（奇数ライン）と第２画像の全てのライン位置（偶数ライン）とが実質的に揃うことになる。
【００６０】
このとき、第１画像には紫外光反応領域はないため、ラインの位置合わせを行っても紫外光反応領域の特定においては何ら支障はない。これにより、第２画像から第１画像の画像成分（紫外光反応領域を特定するにあたってのノイズ成分）を除外して第２画像のみに存在する紫外光反応領域をより正確に特定できることになる。
【００６１】
図８は、原稿１０１に印刷された特殊インクの量が少ない場合の読取画像イメージにおいて、照明切替え制御を行った場合の、読取画像イメージの例を示す。図８（ａ）、（ｂ）及び（ｃ）は、読取画像ＩＭＧの奇数ラインと、読取画像偶数ラインとに分離した図となっており、図８（ａ）が奇数ラインの可視画像、図８（ｂ）が偶数ラインのＵＶ画像、図８（ｃ）が偶数ラインのＵＶ画像（ｂ）内の、特殊インクで印刷された領域を拡大した画像となる。
【００６２】
図８の（ｂ）画像は、偶数ラインのＵＶ画像となっており、特殊インクが印刷された領域が左上に確認できる。これは特殊インクが印刷された領域に、特定波長の光（紫外光）が照射されたことにより、特殊インクの電子が励起状態となり、その後より安定な基底状態に戻る際に、照射された特定波長の光（励起光）よりも長い波長の光を発光し、この発光した光を基に画像を形成したためである。図７（ｂ）の画像と比較すると特殊インクで印刷された領域が暗くなっているのは、この励起光が図７（ｂ）時より少なくなったためである。
【００６３】
図８の（ｃ）画像は、偶数ラインのＵＶ画像（ｂ）の特殊インクで印刷されている領域を拡大した画像となっているが、特殊インクの量が少ないため励起状態となる電子の量が少なく（可視光波長内の発光量が少ない）、蛍光画像領域が濃度の低い暗い画像となってしまい、蛍光画像領域と隣接する背景画素との濃度差が小さく見た目で判断しづらい画像になっている。
【００６４】
第２光源によって得られた画像において、特殊インクが印刷された領域は、特殊インクが印刷されていない領域より明るい画像となって現れる。この明るさ度合いは特殊インクの種類や、塗り量や、原稿の保管状態によって大きく左右される。
【００６５】
読取った画像データから、特殊インクで印刷された領域を確認する際には、特殊インクが印刷されていない背景領域と特殊インクで印刷された領域との濃度さが明確になっていた方が確認しやすい。
【００６６】
図９は第２光源によって得られるＵＶ画像から、特殊インクが印刷されている領域の検出方法例を示したフローチャートである。Ｓ５０１では、第２光源を発光源にして読取ったＵＶ画像の、蛍光領域の始点となる画素を見つけるため、先頭画素から順次ピクセル濃度を確認していく。
【００６７】
例えば、予め定められた固定の濃度閾値よりも高い濃度値だった場合に、特殊インクが印刷されたであろう領域と判断し、始点画素とする。Ｓ５０２で始点画素が見つかった場合、Ｓ５０３では始点画素の座標をＸｎ（ｎ＝０座標）として、Ｘ０座標情報をＲＡＭ１３に記憶する。Ｓ５０２  Ｎｏ→Ｓ５０１で始点画素を見つけるまでのフローを繰り返す。
【００６８】
Ｓ５０４では対象画素となる座標Ｘｎ（ｎ＝１，２，３、４，５・・・・）を基準にして、その周囲の対象画素を、特定順に確認していく。ここで対象画素とは、予め定められた固定の濃度閾値より濃度が高く、蛍光領域だと判断した画素を指す。特定順に関しては図１１を使用し詳細内容を後述する。
【００６９】
Ｓ５０５で、対象画素Ｘｎの周囲に特定画素が見つかった場合、Ｓ５０６で見つかった画素が新規の画素か、今までに確認した画素か判断する。判断方法は記憶した座標ｎ番号から新規のものか、そうでないか判断することができる。
【００７０】
また、Ｓ５０５で、対象画素Ｘｎの周囲に特定画素が見つからなかった場合、始点として見つけた画素が、蛍光領域の固まりでないと判断でき、Ｓ５０４に戻ってもう一度始点となる対象画素を確認しにいく。
【００７１】
Ｓ５０６で見つけた対象画素が新規の対象画素だと判断した場合、その位置情報を始点として確定する（Ｓ５０７  Ｙｅｓ）。逆にＳ５０６で新規の対象画素でなかった場合、Ｓ５０４に戻り、再び対象画素を確認していく（Ｓ５０７  Ｎｏ）。ここでＳ５０６の新規の対象画素の確認はＸｎ(ｎ≠０以外)で確認する。
【００７２】
Ｓ５０７で確定した座標Ｘｎのｎ値を確認し、ｎ≠０の場合、ｎの値を一つ加算し、ｎ＝ｎ＋１として座標Ｘｎ情報を記憶する。（Ｓ５０８、Ｓ５０９、Ｓ５１０）その後Ｓ５０４に戻り、ｎ＝ｎ＋１で記憶した位置座標を中心に、再び周囲の対象画素を特定順に確認していく。（Ｓ５０８）
【００７３】
Ｓ５０７で確定した座標Ｘｎのｎ値を確認し、ｎ＝０だった場合、特定画像の確認が始点（ｎ＝０）に戻ったことを意味する。始点Ｘ０から始まり、対象画素Ｘｎのｎ値が増えていった後に、始点Ｘ０に戻った場合、蛍光画像領域の画素全て確認したことになり、領域を特定することができる。
【００７４】
ここで特定順について図１０を用いて説明する。ｂ２画素が始点Ｘｎ（ｎ＝０）の場合、始点Ｘ０を基準にして周囲の画素をピクセル毎に（１）〜（８）の順で確認していく。確認した結果、例えば座標ｃ２が対象画素だった場合、次はＣ２を座標Ｘｎ（ｎ＝１）として周囲の対象画素を確認する。
【００７５】
周囲の対象画素を確認する際は、Ｘｎ（ｎ＝ｎ−１）の座標が八番目に確認されるように周囲の画素を順に確認していくため、座標Ｃ２の次の対象画素がｄ３だった場合、対象画素Ｘ（ｎ＝ｎ−１）の座標ｃ２が、八番目に確認されるように周囲の特定画素を確認していく。
【００７６】
図９のフローチャートにより、第２光源で得られたＵＶ画像からＵＶインクで印刷されたと推測できる領域が検出できたら、その領域が本当にＵＶインクで印刷された領域であるか特定する。
【００７７】
これは紫外線の波長に青色成分が含まれていたり、原稿１０１自体が紫外光を吸収し励起光を発光してしまう材質だった場合、図９で検出した領域がこれらの影響を受けているのか判断するためである。図１３は蛍光色領域を特定するための、フローチャートとなっている。
【００７８】
Ｓ７０１、Ｓ７０２では、第１光源で得られた可視画像から、始点となる画素を見つけるため先頭画素から順次ピクセル濃度を確認していく。ここでは例えば予め定められた固定の濃度閾値よりも高い濃度値だった画素に対して始点画素と判断する。
【００７９】
Ｓ７０２で始点画素が見つからなかった場合、その領域には紫外線の波長に含まれた青色成分の影響が無かったと判断でき、図９のフローチャートで検出した領域を蛍光色領域であると特定することができる。
【００８０】
Ｓ７０２で始点画素が見つかったとしても、始点画素座標が、ＵＶ画像で検出した始点画素座標とある一定値以上離れている場合、同じく図９で検出した領域に紫外線の波長に含まれた青色成分の影響が無かったと判断でき、図９で検出した領域を蛍光色領域であると特定することができる。(Ｓ７０３)
【００８１】
Ｓ７０３  Ｙｅｓで始点座標位置がある範囲内に入っていると判断した場合、Ｓ７０４では、その画素から同じく特定順に画素を確認して、領域を検出する。Ｓ７０５では、ＵＶ画像で検出した領域と可視画像で検出した領域が同じ形状であるか比較する。
【００８２】
Ｓ７０５で比較した結果、形状が異なっていれば、図９で検出した領域が蛍光色領域であると特定することができる。逆に検出した領域がある範囲内だった場合、ＵＶ画像領域で浮き出ていただ領域が、紫外光に含まれる青色成分の影響を受けた、又は原稿１０１自体が紫外光を吸収し励起光を発光してしまう材質だったという影響を受けたためと判断することができ、原稿に特殊インクで印字された領域が無かったと判断できる。（Ｓ７０６、Ｓ７０７，Ｓ７０８）
【００８３】
図１３のＳ７０８により蛍光色領域が特定されると、次に図１１のフローチャートを使用し、特定した蛍光領域のエッジ強調用のパラメータ決定方法について説明する。ここではパラメータの一例として閾値の算出方法について説明する。
【００８４】
Ｓ６０１で、予め定められた固定の濃度閾値よりも高い画素が見つかると座標Ｘｎとして位置情報を記憶する。座標Ｘｎが決まれば、Ｓ６０２で周囲を特定順に確認していく。Ｓ６０３で周囲に特定画素が見つかった場合、Ｓ６０４でＸｎのｎ値をｎ＝ｎ＋１にして、Ｓ６０５でＸｎ座標の位置情報を記憶する。
【００８５】
ここで特定順について図１０を用いて説明する。ｂ２画素が始点Ｘｎ（ｎ＝０）の場合、始点Ｘ０を基準にして周囲の画素をピクセル毎に（１）〜（８）の順で確認していく。
【００８６】
確認した結果、例えば座標ｃ２が対象画素だった場合、次はＣ２を座標Ｘｎ（ｎ＝１）として周囲の対象画素を確認する。周囲の対象画素を確認する際は、Ｘｎ（ｎ＝ｎ−１）の座標が八番目に確認されるように周囲の画素を順に確認していく。座標Ｃ２の次の対象画素がｄ３だった場合、対象画素Ｘ（ｎ＝ｎ−１）の座標ｃ２が、八番目に確認されるように周囲の特定画素を確認していく。
【００８７】
図１１のＳ６０６で、特定した画素に隣接している画素データの中に、予め定められた閾値よりも低い濃度値の画素があるか確認する。予め定められた濃度閾値より低い画素は、特殊インクで印刷されておらず、蛍光領域でない画素、つまり蛍光領域に隣接する背景画素だと判断できる。
【００８８】
特定した画素に隣接している画素データの中に、予め定められた濃度閾値よりも低い濃度値があった場合、その画素の濃度をＸｎに対応する隣接画素Ｘｍとして、Ｘｎの濃度値と一緒にメモリに保存する。
【００８９】
ここで保存されるＸｎとＸｍのデータにおける、ｎとｍの関係はｎ＝ｍとなっている。座標Ｘｎの周囲画素データの中に、予め定められた濃度閾値よりも低い画素が複数存在する場合は、濃度値を平均化し、Ｘｍの濃度値とする。（Ｓ６０６Ｙｅｓ→Ｓ６０７）
【００９０】
座標Ｘｎの周囲画素データの中で、予め定められた濃度閾値よりも低い画素が存在しない場合は、周囲がすべて特殊インクで印刷された画像ブロックと判断できる。その場合は、周囲の濃度値に合わせて座標Ｘｎの濃度を決定する。（Ｓ６０６Ｎｏ→Ｓ６１１）
【００９１】
Ｓ６０９では、Ｘｎ画素の周囲画素データの中で、隣接画素Ｘｍが複数画素あった場合複数ある画素の平均値を、Ｘｍの値として使用する。
【００９２】
Ｓ６１０では、ＸｎとＸｍの値が決まっているので、エッジ強調用閾値を決定する。算出方法例として、座標Ｘｎの濃度値ＤＸｎと、座標Ｘｍの濃度値ＤＸｍから、閾値Ｓｄ２＝（ＤＸｍ  −  ＤＸｎ）/２の式で決定する。
【００９３】
特殊インクで印刷された画素と、特殊インクが印刷された画素に隣接する背景画素の明度に大きな差がある場合、Ｘｎ画素の濃度値と、Ｘｍの濃度値の差分は大きくなる。
【００９４】
逆に特殊インクで印刷された画素と、それ以外の背景画素の明度に差があまり無い場合、Ｘｎ画素の濃度値と、Ｘｍの濃度値の差分は小さくなる。
【００９５】
エッジ強調用の閾値をそれぞれの画素に適した値に設定できるようにすることで、最適なエッジ強調を行うことができ、特殊インクで印刷された領域を明るくした目視確認し易い画像を作ることができる。
【００９６】
図１１のフローチャートを使って説明したエッジ強調用の閾値の算出方法について、図１２の画像ブロックを使用し説明する。予め定められた濃度閾値より高い濃度の画素がみつかると、そこを座標Ｘ０として位置情報を保存し、周囲を特定順に確認していく。
【００９７】
図１２ではｂ２座標がＸ０となる。ｃ２座標が次の対象画素だとすると、ｃ２座標を中心に特定順に周囲画素を確認しにいく。次の対象画素がｄ３だとすると、ｃ２が八番目に確認されるようにｂ３座標の周囲画素を確認していく。ここまでの手順は図１０を用いて説明した、特定順の内容と同じになる。
【００９８】
Ｘｍ座標データの算出方法だが、例えばｄ３座標のＸｍデータを考えた場合、周囲画素の中で予め定められた濃度閾値よりも低い画素である座標位置はｄ２、ｅ２、ｅ３になる。周囲画素（１）〜（８）の中で、予め定められた濃度閾値より低い座標が複数個あるため、各座標の濃度の平均値を座標Ｘｍの画素濃度とする。
【００９９】
囲画素（１）〜（８）の中で、予め定められた濃度閾値より低い座標が一つしかなかった場合は、その座標に位置する画素の濃度値が座標Ｘｍの画素濃度となる。
【０１００】
周囲画素から座標Ｘｍの濃度値が決定すれば、エッジ強調用閾値を決定する。算出方法として、座標Ｘｎの濃度値ＤＸｎと、座標Ｘｍの濃度値ＤＸｍから決定する。閾値Ｓｄ２＝（ＤＸｍ  −  ＤＸｎ）/２の式で決定する。
【０１０１】
上記では特定した蛍光領域におけるエッジ強調用のパラメータとして、閾値を使用して説明したが、エッジ強調用のパラメータはこれに限らず例えば図１５のようにマトリクスを使用してエッジ強調を行ってもよい。
【０１０２】
図１５の例では３×３のマトリクスの各画素に対して、各画素の濃度に応じて図１６のようなエッジ強調用パラメータを設定し、注目画素ａ２２に対してエッジ強調処理を行う。複数のエッジ強調用パラメータをメモリに保存しておき、画素に応じてパラメータを取り出しエッジ強調処理が行える。
【０１０３】
ここでエッジ強調後の注目画素をＢ２２とすると、下記数式１となる。
【０１０４】
【数１】
2017038324.tif 000003
【０１０５】
上記数式１において、ａ１１〜ａ３３までの画素に対して、それぞれｐ１１〜ｐ３３のパラメータをかけて、それに対して総画素９で割ることでエッジ強調することができる。
【０１０６】
次に、図１４を用いてエッジ強調処理を行うか、行わないか判断するためのフローについて、一例としてエッジ強調を行う対象画素と、その対象画素に隣接する周囲画素の状況によって、エッジ強調処理を行うか、行わないか判断するフローについて説明する。
【０１０７】
Ｓ９０１ではまずエッジ強調する対象画像と、その対象画素に隣接する画素の濃度差を比較する。比較した結果ある一定値以上離れていた場合、対象画素がＵＶ画像であると判断しエッジ強調処理を実行する。（Ｓ９０２  ＹＥＳ→Ｓ９０３）
【０１０８】
エッジ強調する対象画像と、その対象画素に隣接する画素の濃度差がある一定値以上離れてない場合、エッジ処理の対象となる画素がＵＶ画素であると判断できるエッジ処理を行わない。（Ｓ９０２  ＮＯ→Ｓ９０４）
【０１０９】
次にフローチャート図１７を用いてガンマカーブの飽和点の決定方法について説明する。図１３にて蛍光領域が特定されたら、蛍光領域とその蛍光領域に隣接する画素との濃度差を比較する。比較結果から一番濃度差が小さい画素間の中間値となる値を飽和点Ａとして決定し、飽和点Ａより明るい画素は飽和させるガンマカーブを補正カーブとして適用する。（Ｓ１７０１〜Ｓ１７０３）
【０１１０】
例えば、飽和点Ａが１５０となった場合について図１８を用いて説明する。１５０を基準としてそれより明るい画素は２５５に補正されるガンマカーブとなる。このガンマカーブを適用することで、蛍光領域とその蛍光領域に隣接する画素との濃度差が明確になり、蛍光領域をより強調することが可能となる。
【０１１１】
以上のように、可視画像と、ＵＶ画像の比較結果から特殊インクで印刷された領域を特定し、特定した領域に対してエッジ強調を行うことで、特殊インクで印刷した領域を正確に抽出し蛍光領域を強調することが可能となる。
【０１１２】
また可視画像と、ＵＶ画像の比較結果から特殊インクで印刷された領域を特定し、特定した領域に対するガンマカーブを変更することで、特殊インクで印刷した蛍光領域をより強調することが可能となる。
【０１１３】
上述したエッジ強調やガンマ補正は、ＣＰＵ２１１（領域特定手段）が特定した紫外光反応領域を背景色と比べて視覚的に区別できる所定の明るさ以上の色に補正する色補正の一例にすぎず、紫外光反応領域を所定の色に変換し、背景色を別の色に変換するなどして、視覚的に区別できるように処理すればよい。これにより、ユーザは、ディスプレイ等を通じて紫外光反応領域（特殊インクで印刷されたマーク）を目視により確認することができる。
【０１１４】
＜他の実施形態＞
以上本発明を一実施形態に基づいて詳細に説明したが、本発明は上述した一実施形態に限定されるものではない。
例えば、上述した一実施形態では、画像読取装置から情報処理装置であるＰＣに画像データを送信し、ＰＣ側で蛍光領域を特定するようにしたが、本発明は勿論これに限定されず、画像読取装置側で蛍光領域を特定し、その情報を情報処理装置（パソコン等）に伝達してその後の処理として、例えば、蛍光領域に関する画像を表示したり、真贋判定などの処理を実施するようにしてもよい。
【０１１５】
また、上述した一実施形態では、画像読取装置が有する一対の発行部１０４４において可視光と紫外光とを切り替えて読み取るようにしたが、本発明は勿論これに限定されず、例えば、図１９に示すように可視光を発行する発行部１０４Ａと、紫外光を発行する発行部１１０とを搬送方向においてずれた位置に配置し、搬送路の上流側と下流側で別々に読み取るようにすれば、発行部１０４Ａで読み取った第１画像と、発行部１１０で読み取った第２画像とをそれぞれ独立して取得でき、第２画像から第１画像の成分を除外すれば、第２画像のみに存在するマーク（紫外光反応領域）だけを高精度に特定することが可能となる。この場合には、上述した一実施形態と比べて、第１画像と第２画像との位置合わせが不要となり、画像の処理負荷が軽減される。なお、ここでは、図１９において図１と同じ構成については同じ符号を付して重複する説明は省略する。
【０１１６】
なお、本発明は、次のような態様も含まれる。すなわち、本発明の装置又はシステムは、可視領域内波長の第１光を撮像対象媒体に照射する第１光源と、可視領域外波長の第２光を前記撮像対象媒体に照射する第２光源と、前記第１光源もしくは前記第２光源を、前記撮像対象媒体に照射し、反射した反射光に基づいて、前記撮像媒体を撮像する撮像手段と、前記撮像手段によって撮像された前記撮像対象媒体の一部もしくは全部に対応する画像データを生成する画像データ生成手段と、前記第１光源のみを前記撮像対象媒体に照射した際に反射された反射光に基づいて、前記画像データ生成部が生成する第１画像と、前記第２光源のみを前記撮像対象媒体に照射した際に反射された可視領域内波長の反射光に基づいて、前記画像データ生成部が生成する第２画像と、前記第２画像における、ある閾値よりも高い濃度の画素で構成される領域を検出する蛍光領域検出部と、前記画像データ生成部が生成した前記第１画像と、前記第２画像の濃度分布状況を比較する濃度比較部と、前記濃度比較部の比較結果から、前記蛍光領域検出部が検出した領域が前記第２光源にのみ反応する蛍光領域であることを特定する蛍光領域特定手段を有するようにしてもよい。
【０１１７】
また、本発明は、前記画像データ生成部が生成する、前記第２画像における前記蛍光領域の、ある濃度値より高い画素に対して、エッジ強調を行うエッジ強調部と、前記エッジ強調部が行うエッジ強調用の数種類のパラメータを、予め保存しているエッジ強調用パラメータ保存部と、前記エッジ強調用パラメータ保存部が保存している数種類のエッジ強調用のパラメータの中から最適なパラメータを決定するパラメータ決定部と、を有し、前記パラメータ決定部は、前記第２画像における前記蛍光領域と、前記蛍光領域に隣接する画素との状態に応じて、エッジ強調用のパラメータを変更することを特徴としてもよい。
【０１１８】
また、本発明は、前記画像データ生成部が生成する、前記第２画像における前記蛍光領域の、ある濃度値より高い画素に対して、エッジ強調を行うエッジ強調部と、を有し、前記エッジ強調部は、前記第２画像における前記蛍光領域と、前記蛍光領域に隣接する画素との濃度差に応じて、エッジ強調処理を行うか行わないか判断することを特徴としてもよい。
【０１１９】
また、本発明は、前記閾値決定部は、前記蛍光領域に対して行うエッジ強調用の閾値を、前記蛍光色領域と、前記蛍光色領域に隣接する画素から決定することを特徴としてもよい。
【０１２０】
また、本発明は、前記第２画像における前記蛍光領域と、前記第２画像における前記蛍光領域に隣接する画像の濃度値に応じてガンマ補正用のパラメータを決定するガンマ補正値決定手段を設けていることを特徴としてもよい。
【０１２１】
また、本発明は、前記可視領域外波長の第２光源として紫外線を撮像対象媒体に照射することを特徴としてもよい。
【０１２２】
これらの態様により、本発明は、まず可視光源に基づいた第１画像データと不可視光源に基づいた第２画像データを比較し、その結果から特殊インクが印刷されている領域を特定する。そして、特定した特殊インクが印刷されている領域と、特殊インクが印刷されている領域に隣接する領域との濃度差から、エッジ強調するための閾値を算出し、算出した閾値と、特定した特殊インクが印刷されている領域の濃度を比較し、比較した結果濃度値が高かった場合エッジ強調を行う。そのとき、特殊インクの塗布量が少ない場合や、特殊インクが印刷された媒体の保管状況が悪く、媒体の表面から特殊インクが剥げてしまい、特殊インク領域と背景色の差が明確に識別できない画像データだったとしても、特殊インクが印刷されている領域を正確に検出することができ、エッジ強調用の閾値を各々の画素毎に設定できるようにすることで、第２画像における特殊インク領域を際立たせ、目視確認しやすい画像を生成することができる。
【符号の説明】
【０１２３】
１０  画像読取装置制御部
１１  ＣＰＵ
１２  ＲＯＭ
１３  ＲＡＭ
１４  入出力Ｉ／Ｆ
１５  通信Ｉ／Ｆ
２１  モータ
２２  モータ駆動回路
２３  センサ
２４  発光部駆動回路
２５  Ａ／Ｄ変換器
２６  画像処理回路
１００  画像読取装置
１０１  原稿
１０２  原稿台
１０３  排出部
１０４  画像読取ユニット
１０５  背景板
１０６  給紙ローラ
１０７  搬送ローラ
１０８  搬送路
１０９  レジストセンサ
１０４１  筐体
１０４２  ガラス板
１０４３  ラインイメージセンサ
１０４４  発光部
２００  ＰＣ
２１１  ＣＰＵ
２１２  ＲＯＭ
２１３  ＲＡＭ
２１４  入出力Ｉ／Ｆ
２１５  通信Ｉ／Ｆ
２１６  ＨＤＤ
２２１  ディスプレイ
２２２  入力部
【図１】
2017038324.tif 000004
【図２】
2017038324.tif 000005
【図３】
2017038324.tif 000006
【図４】
2017038324.tif 000007
【図５】
2017038324.tif 000008
【図６】
2017038324.tif 000009
【図７】
2017038324.tif 000010
【図８】
2017038324.tif 000011
【図９】
2017038324.tif 000012
【図１０】
2017038324.tif 000013
【図１１】
2017038324.tif 000014
【図１２】
2017038324.tif 000015
【図１３】
2017038324.tif 000016
【図１４】
2017038324.tif 000017
【図１５】
2017038324.tif 000018
【図１６】
2017038324.tif 000019
【図１７】
2017038324.tif 000020
【図１８】
2017038324.tif 000021
【図１９】
2017038324.tif 000022